(57)【要約】コンピュータシミュレーションのためのマスクレイアウトから三次元構造を定義する方法であって、液晶ディスプレイの装置を設計および分析するための液晶ディスプレイ装置を含む、液晶セルの三次元構造を定義するための技術を提供する、前記方法。上部基板および下部基板の間の物質層から構成される三次元構造を生成する方法であって、上部基板の下かつ下部基板の上に物質層を積層すること、および、基板のための物質層のテーパー構造を含む場合には、積層された上部物質層および下部物質層の間に中心挿入層を挟み込むことにより、コンピュータシミュレーションのための三次元構造の生成方法を提供する、前記方法。
2007520824.tif 000002
【特許請求の範囲】
【請求項１】
マスクレイアウトの入力データを用いてコンピュータシミュレーションにより上部基板と下部基板との間に複数の物質層を含む三次元構造を定義する方法であって、特に、前記物質層の少なくとも一層が前記上部基板および下部基板に平行ではなく、かつ基準面に対して傾斜したテーパー領域を有する場合において（以下、「テーパー物質層」と称する。）、前記上部基板および下部基板のそれぞれを参照基準面として物質層を積層すること、ならびに互いに面しているその上の物質層と共に前記上部基板と下部基板との間に中間挿入層を挟みこむことにより、コンピュータシミュレーション中に三次元構造が定義される、前記方法。
【請求項２】
（ａ）上部基板と下部基板との間に形成される複数の物質層のうち、ある物質層を中間挿入層として指定し、前記中間挿入中間挿入層の厚さ及び／またはその物質の種類を含むパラメータを指定するステップ；
（ｂ）上部基板と下部基板の間の中心に形成される中間挿入層と共に、三次元構造の上面および下面において形成される上部基板と下部基板の上に積層される複数の物質層の各々に対する名前、物質の種類、厚さ、および関連するマスクの情報と、物質層の少なくとも１層が上部基板または下部基板に平行ではなく、かつ基準面に対して傾斜したテーパー領域を有する場合におけるテーパー角の情報とを指定し、それぞれ上部基板と下部基板の上における物質層の積層順序を定義するステップ；ならびに
（ｃ）物質層の下面として、関連するマスクに対して定義されたマスクレイアウト対象物を定義する多角形を用いることにより、あるいは、物質層の下面として、関連するマスクに対して定義されているマスクレイアウト対象物を定義する多角形以外の残りの領域を用いることにより、物質層の各々を形成するかを決めるステップ、
を含む、請求項１に記載の方法。
【請求項３】
（ａ）指定されたテーパー角を有するマスクに対してマスクレイアウト対象物を定義する多角形の内部に、前記マスクレイアウト対象物を定義する多角形よりもサイズが小さいが前記マスクレイアウト対象物を定義する多角形と同じ形状および頂点順序を持つ内部多角形を生成し、同じ順序を有する頂点が互いに前記内部多角形から前記マスクレイアウト対象物を定義する多角形に連結されるように、前記内部多角形の頂点を前記マスクレイアウト対象物を定義する多角形の関連する頂点に連結することにより、前記内部多角形と前記マスクレイアウト対象物を定義する多角形との間の平面空間を分割する側面多角形を形成するステップ；
（ｂ）指定されたテーパー角を有するマスクを除く他のマスクに対して定義されているマスクレイアウト対象物を定義する多角形と、指定されたテーパー角を有するマスクに対して定義されている多角形との間の重なり合う領域において、多角形の各々の端部の両側に平行となるように、指定されたテーパー角を有するマスク以外の他のマスクに対して定義されているマスクレイアウト対象物を定義する多角形の各々の端部の両側に線を形成し、前記線によって前記指定された傾斜角を有するマスクに大して定義されている多角形を分割するステップ；
（ｃ）下部基板の上の物質層の積層順序の情報にしたがって、指定されたテーパー角を有さないマスクを用いた物質層、または指定されたマスクを有さない物質層を形成する場合には、既に定義された下部基板の上の物質層の上面から上方にユーザーが指定した厚さを持つように、指定されたテーパー角を有さないマスクを用いて物質層に物質を積層するステップ；
（ｄ）下部基板の上の物質層の積層順序の情報にしたがって、指定されたテーパー角を有するマスクを用いて物質層を形成する場合には、既に定義された下部基板の上の物質層の上面の上の、指定されたテーパー角を有するマスクを用いる物質層の下面としてのマスクレイアウト対象物、既に定義された下部基板の上の物質層の上面から上方に予め決定された厚さだけ間隔をあけた位置における、指定されたテーパー角を有するマスクを用いる物質層の上面としてのマスクレイアウト対象物の内部多角形、ならびに、指定されたテーパー角を有するマスクを用いる物質層の側面としてのマスクレイアウト対象物の側面多角形を、それぞれ定義して、前記下面の多角形と前記上面の多角形と前記側面の多角形とにより囲まれる領域中において指定されたテーパー角を有するマスクを用いて形成される物質層に新たな物質を積層するステップ；
（ｅ）上部基板の上の物質層の積層順序の情報にしたがって、指定されたテーパー角を有さないマスクを用いる物質層または指定されたマスクを用いることなく形成された物質層を形成する場合において、既に定義された上部基板の上の物質層の下面から下方に予め決定された厚さを持つように、指定されたテーパー角を有しないマスクを用いて形成された物質層または指定されたマスクを用いることなく形成された物質層に対して新たな物質を積層するステップ；
（ｆ）上部基板の上の物質層の積層順序の情報にしたがって、指定されたテーパー角を有するマスクを用いて物質層を形成する場合には、既に定義された上部基板の上の物質層の下面の上の、指定されたテーパー角を有するマスクを用いる物質層の上面としてのマスクレイアウト対象物、既に定義された上部基板の上の物質層の下面から下方に予め決定された厚さだけ間隔をあけた位置における、指定されたテーパー角を有するマスクを用いる物質層の下面としてのマスクレイアウト対象物の内部多角形、ならびに、指定されたテーパー角を有するマスクを用いる物質層の側面としてのマスクレイアウト対象物の側面多角形を、それぞれ定義して、前記上面の多角形と前記下面の多角形と前記側面とにより囲まれる領域中において指定されたテーパー角を有するマスクを用いて形成される物質層に新たな物質を積層するステップ；
（ｇ）上部基板の上の物質層の積層順序の情報にしたがって、指定されたテーパー角を有するマスクを用いる物質層を形成する場合において、既に定義された上部基板の上の物質層の下面において指定されたテーパー角を有するマスクを用いる物質層の上面としてマスクレイアウト対象物を用い、既に定義された上部基板の上の物質層の下面から下方に予め決定された厚さだけ間隔をあけた位置における、指定されたテーパー角を有するマスクを用いる物質層の下面としてマスクレイアウト対象物を用い、および、指定されたテーパー角を有するマスクを用いる物質層の側面としてマスクレイアウト対象物を用いる物質層に対して下方に他の新たな物質を積層するステップ；
（ｈ）前記定義された下部基板の上面を構成する多角形の頂点のうちの最低頂点の位置からユーザーが指定した液晶領域の厚さだけ間隔をあけた位置に、前記定義された下部基板の上面を構成する多角形の頂点のうちの最高頂点が位置するように、上部基板を上方に移動するステップ；ならびに
（ｉ）前記上部基板と下部基板との間の間隔に中間挿入層を充填するステップ、
を含む、請求項１に記載の方法。
【発明の詳細な説明】
【技術分野】
【０００１】
本発明は、液晶画素の動作特性を予測することによりＬＣＤパネルを設計するために用いることができる液晶セルの三次元構造を生成する方法、及びこれを用いたコンピュータソフトウェアシステムに関する。
【０００２】
より具体的には、本発明は、マスクレイアウトの入力データからコンピュータシミュレーションにより上部基板と下部基板との間に複数の物質層を含む三次元構造を推定するための方法であって、特に、前記物質層の少なくとも一層が前記上部基板および下部基板に平行ではなく、かつ基準面に対して傾斜したテーパー領域（tapered
region）を有する場合において（以下、「テーパー物質層」と称する。）、前記上部基板および下部基板のそれぞれを参照基準面として物質層を積層すること、ならびに、互いに面しているその上の物質層と共に前記上部基板と下部基板との間に中間挿入層を挟みこむことにより、コンピュータシミュレーションによって三次元構造が定義される、前記方法に関する。
【背景技術】
【０００３】
液晶ディスプレイは、通常、薄膜トランジスタ、画素電極などが形成されている下部基板と、対向電極、カラーフィルターなどが形成されている上部基板との間の空間に液晶物質を充填するように製作されるディスプレイ装置である。
液晶ディスプレイのコンピュータシミュレーションについて、従来の２次元のコンピュータシミュレーションソフトウェアシステムは、液晶セルの三次元構造を定義するため、液晶セル(liquid
crystal cell)の断面形状として多角形を定義する方式を用いているので、この従来のソフトウェアシステムが液晶画素セルの三次元構造を定義することは困難である。
【発明の開示】
【０００４】
したがって、本発明の目的は、マスクレイアウトから三次元構造を生成する方法を提供することである。
本発明の他の目的は、液晶ディスプレイを構成する液晶セルの三次元構造を定義する方法を提供することである。
本発明のさらなる他の目的は、液晶ディスプレイを構成する液晶セルの三次元構造を定義するシステムを提供することである。
【０００５】
本発明の一つの側面にしたがって、上記及び他の目的は、液晶セルのためのマスクレイアウト情報を読み込むステップ；液晶セルのためのマスクレイアウト情報を用いて液晶セルを構成する物質層の積層順序を入力するステップ；および、マスクレイアウトが多角形からなるマスクレイアウト情報を用いて液晶セルの三次元構造を定義するステップ、を含む、液晶セルの三次元構造を定義する方法を提供することにより達成される。
【０００６】
本発明の他の側面にしたがって、マスクレイアウト情報のための作成モジュール；液晶セルを構成する物質層の積層順序のための入力モジュール；マスクレイアウトを構成する多角形のための変更モジュール；および、液晶セルの三次元構造のための生成モジュール、を含む、液晶セルの三次元構造を定義するシステムを提供する。
【０００７】
本発明のさらなる特徴は、液晶セルの三次元構造を定義する方法により明らかになるが、前記方法は、本発明の好ましい態様の添付図面と併せて、液晶ディスプレイの動作動態を予測するためのコンピュータシミュレーションアナライザーおよびこれを用いたコンピュータソフトウェアシステムの製造に適用することができるが、前記の好ましい態様の添付図面は、本発明を限定するものではなく、説明と理解のためだけのものである。
【０００８】
図面において：
図１は、本発明の好ましい態様にしたがった、液晶セルの三次元構造を定義する方法を示すフローチャートである。
図２は、本発明の方法における、液晶セルのためのマスクレイアウト情報を用いて液晶セルを構成する物質層の積層順序を入力する方法の好適な態様を示すフローチャートである。
【０００９】
図３〜７は、本発明の態様にしたがった、液晶セルの三次元構造を定義する方法の連続的なステップを示す図である。
図８は、本発明の好ましい態様にしたがった、液晶セルの三次元構造を定義するシステムの構成図である。
図９は、マスクレイアウト情報のための生成モジュールの好ましい態様を示す図である。
【００１０】
図１０は、三次元構造を定義するボタンを選択した場合に表示される、液晶セルを構成する物質層の積層順序のための入力モジュールの好ましい態様を示す図である。
図１１は、新しい物質層を加えるボタンを選択した場合に表示される、物質層の情報のための入力モジュールの好ましい態様を示す図である。
【００１１】
発明を実施するための最良の形態
図１から図７を参照して、本発明の態様を詳述する。
【００１２】
図１は、本発明による液晶セルの三次元構造を定義する方法を示すフローチャートである。図１を参照すると、該方法は、マスクレイアウトが多角形からなる液晶セルのための情報を読み込むステップ（Ｓ１１０）；液晶セルのためのマスクレイアウト情報を用いて液晶セルを構成する物質層の積層順序を入力するステップ（Ｓ１２０）；および、マスクレイアウト情報を用いて液晶セルの三次元構造を定義するステップ（Ｓ１３０）を含む。
【００１３】
本発明の好適な態様によれば、液晶セル構造のためのマスクレイアウト情報は、マスクレイアウト作成システムにより作成された電子ファイルの形態で提供される。
図２は、本発明の方法における、液晶セル構造のためのマスクレイアウト情報を用いて液晶セルを構成する物質層の積層順序を入力する方法の好適な態様を示すフローチャートである。図２を参照すると、該方法は、液晶層の特性を定義するステップ（Ｓ２１０）、上部基板と下部基板の間の中心層として提供される液晶層と共に、上部基板および下部基板の上にそれぞれ形成される物質層の積層順序を定義するステップ（Ｓ２２０）；および、液晶セル中に積層された物質層の情報を保存するステップ（Ｓ２３０）。
【００１４】
本発明の好適な態様によれば、液晶層の特性は、基本的に生成されている液晶層に関して、液晶物質の種類および液晶層の厚さを定義する方法により決定されてもよい。
【００１５】
本発明の好適な態様によれば、上部基板と下部基板の間の中心層として提供される液晶層と共に、上部基板および下部基板の上にそれぞれ形成される物質層の積層順序を定義するステップは、上部基板と下部基板の間の中心層として基本的に生成されている液晶層を用いて、上部基板および下部基板を構成する物質層を下部基板から上部基板へ垂直方向に順次定義する方法により実現されてもよく、あるいは、既に定義されている物質層の間に挿入される、新たな物質層を定義する方法により実現されてもよい。新たな物質層は、物質層の名前、物質の種類、物質層の厚さ、マスクの名前、正または負のマスクの種類、側面の角度、および基板の種類を用いて定義することができる。
【００１６】
本発明の好適な態様によれば、液晶セル中に積層された物質層の情報は、コンピュータメモリ中に直接保存されてもよい。また、積層された物質層の情報は、コンピュータ用の、ハードディスクドライブなどの保存媒体中の電子ファイルとして提供されてもよい。
【００１７】
図３〜６は、本発明の液晶セルの三次元構造を定義する方法の好ましい態様を示す。図３を参照すると、三次元構造を定義するためのマスクレイアウト情報の好適な態様として、三次元構造を定義するための領域３００、第１のマスク３１０および第２のマスク３２０からなるマスクレイアウト情報が示されている。
【００１８】
図４を参照すると、第１のマスク３１０はテーパー角（taper angle）が指定されていないマスクであり、第２のマスク３２０はテーパー角が指定されたマスクである。テーパー角が指定された第２のマスク３２０に対しては、分割された多角形３２１が、マスクレイアウト対象物の多角形及び他のマスクの多角形により重なり合う端部に沿って、マスクレイアウト対象物の多角形の内部領域を分割することにより形成される。図５は、図４のマスクの３次元構造を示す。
【００１９】
図６を参照すると、予め決定された厚さを持つ第１の物質層３５０が、三次元構造を定義するための領域３００を用いて形成され、予め決定された厚さを持つ第２の物質層３６０が、第１の物質層３５０の上に第１のマスク３１０を用いて形成され、ならびに、第３の物質層３７０が、第１の物質層３５０および第２の物質層３６０からなる三次元構造の上に、分割された多角形３２１を有する第２のマスク３２０を用いて形成される。
【００２０】
本発明の好適な態様によれば、各物質層の厚さは、ユーザーにより指定されてもよい。本発明の好適な態様によれば、上記の第２の物質層３６０は、第１の物質層３１０の上面からユーザーが指定した厚さだけ上方に第１のマスク３１０の構造を拡張することにより形成される。
【００２１】
本発明の好適な態様によれば、上記の第３の物質層３７０を形成するために、第２のマスク３２０が、第１の物質層３５０及び第２の物質領域３６０からなる三次元構造の露出された上面に、第３の物質層３７０の下面として最初に形成され、第３の物質層３７０の上面が、第３の物質層３７０の下面からユーザーが指定した厚さだけ上方に分割された多角形３２１の構造を拡張することにより生成され、ならびに、第３の物質層３７０の側面が、次いで、第３の物質層３７０の下面の頂点を、第３の物質層の上面の対応する頂点を連結することにより形成される。
【００２２】
図７を参照すると、上記の第１の物質層３５０、第２の物質層３６０および第３の物質層３７０からなる下部基板の三次元構造に加えて、下部基板を構成する第４の物質層３８０が、下部基板の上面のうち最低の点から垂直方向にユーザーが指定した液晶物質の厚さだけ移動した位置に形成され、第５の物質層３９０が上部基板の下面と下部基板の上面との間に形成される。本発明の好適な態様によれば、下部基板と上部基板構造物との間の空間に充填される第５の物質３９０は、液晶物質として定義される。
【００２３】
図８は、本発明による液晶ディスプレイの液晶セルの三次元構造を定義するシステムの構成図である。図８を参照すると、液晶セルの三次元構造を定義するシステム４００は、マスクレイアウト情報のための作成モジュール４１０、液晶セルを構成する物質層の積層順序の情報のための入力モジュール４２０、液晶セルの三次元構造のための作成モジュール４３０、マスクレイアウトのための定義ファイル４４０、および液晶セル中の物質層の積層順序のための情報ファイル４５０を含む。
【００２４】
図９は、上記のマスクレイアウト情報のための作成モジュール４１０の好適な態様の図である。図９を参照すると、作成モジュール４１０は、シミュレーション領域設定ボタン５０１、三次元構造を定義するボタン５０２、マスクレイアウト作成部５１０、およびマスク管理部５２０を含む。上記のマスク管理部５２０は、マスクレイアウトのための定義ファイル４４０に含まれるマスク一覧を表示してマスク一覧からマスク５２１を選択する機能を有し、上記のシミュレーション領域設定ボタン５０１は、マスク一覧５２０から選択されたマスク上のマスク対象物５１１を描画する機能を有する。上記のシミュレーション領域設定ボタン５０１は、上記のマスクレイアウト作成部５１０においてシミュレーション領域５３０を設定する機能を有する。上記のマスク管理部５２０は、液晶セルを構成する物質層の積層順序の情報のための入力モジュール４２０を実行する機能を有する。
【００２５】
図１０は、上記の三次元構造を定義するボタン５０２を選択したときに表示される液晶セルを構成する物質層の積層順序の情報のための入力モジュール４２０の好適な態様を示す図である。図１０を参照すると、液晶セルを構成する物質層の積層順序の情報のための入力モジュール４２０は、物質層の積層順序のための情報
ビューアー（viewer）６１０、新たな物質層を追加するための挿入ボタン６２０、物質層のための情報ビューアー６１０から選択した新しい物質層を削除するための削除ボタン６３０、三次元構造を生成するための実行ボタン６４０、物質層の情報を読み込むための開始ボタン６５０、および物質層の情報を保存するための保存ボタン６６０を含む。
【００２６】
図１１は、上記の新たな物質層を追加するための挿入ボタン６２０を選択したときに表示される物質層の情報のための入力モジュール７００の好適な態様を示す図である。図１１を参照すると、物質層の情報のための入力モジュール７００は、物質選択部７１０、物質層の厚さのための入力部７２０、マスク選択部７３０、マスク特性設定部７４０、選択された物質層の上に新たな物質層を追加するための上方挿入ボタン７５０、選択された物質層の下に新たな物質層を追加するための下方挿入ボタン７６０、および物質層の情報のための入力モジュール７００を終了するための終了ボタン７７０を含む。
【００２７】
上記のマスク特性設定部７４０は、正のマスクおよび負のマスクの間のマスク選択部７４１、マスクを用いた物質層を積層する場合における物質層の端部のテーパー角を入力するためのテーパー角入力ボタン７４２、およびマスクを用いた物質層の側面を鋭いテーパー角により形成するか、あるいは、滑らかなテーパー角により形成するかを選択する選択部７４３を含む。
【００２８】
上記の記載から明らかなように、本発明は、液晶ディスプレイの液晶セルの三次元構造を定義するシステムであって、マスクレイアウト情報のための生成モジュール、液晶セル中の物質層の積層順序のための入力モジュール、および液晶セルの三次元構造を定義するための定義モジュールを含む、前記システム、ならびに、液晶セルの三次元構造を定義する方法であって、液晶セルのためのマスクレイアウト情報を用いて液晶セルの物質層の積層順序を入力するステップ、および多角形からなるマスクレイアウトの情報を用いて液晶セルの三次元構造を定義するステップを含む、前記方法を提供し、それにより液晶ディスプレイの液晶セルのためのコンピュータシミュレーションを実行する構造定義システムを構成する。
【００２９】
本発明をその例示的な態様に関して説明し、記載したが、当業者には、本発明の思想および範囲から逸脱することなく、本発明においておよび本発明に対して、あらゆる他の変更、省略および付加が可能であることが理解されるべきである。
したがって、本発明は、上記の特定の態様に限定されるように理解されるべきでなく、添付された特許請求の範囲に記載の特徴に関して、包含される範囲およびその均等物のうち可能な全ての態様を含む。
【図面の簡単な説明】
【００３０】
【図１】本発明の好ましい態様にしたがった、液晶セルの三次元構造を定義する方法を示すフローチャートである。
【図２】本発明の方法における、液晶セルのためのマスクレイアウト情報を用いて液晶セルを構成する物質層の積層順序を入力する方法の好適な態様を示すフローチャートである。
【図３】本発明の態様にしたがった、液晶セルの三次元構造を定義する方法の連続的なステップを示す図である。
【図４】本発明の態様にしたがった、液晶セルの三次元構造を定義する方法の連続的なステップを示す図である。
【図５】本発明の態様にしたがった、液晶セルの三次元構造を定義する方法の連続的なステップを示す図である。
【図６】本発明の態様にしたがった、液晶セルの三次元構造を定義する方法の連続的なステップを示す図である。
【００３１】
【図７】本発明の態様にしたがった、液晶セルの三次元構造を定義する方法の連続的なステップを示す図である。
【図８】本発明の好ましい態様にしたがった、液晶セルの三次元構造を定義するシステムの構成図である。
【図９】マスクレイアウト情報のための生成モジュールの好ましい態様を示す図である。
【図１０】三次元構造を定義するボタンを選択した場合に表示される、液晶セルを構成する物質層の積層順序のための入力モジュールの好ましい態様を示す図である。
【図１１】新しい物質層を加えるボタンを選択した場合に表示される、物質層の情報のための入力モジュールの好ましい態様を示す図である。
【符号の説明】
【００３２】
３００：立体的な構造を限定するための領域
３１０：第１のマスク
３２０：第２のマスク
３５０：第１の物質領域
３６０：第２の物質領域
３７０：第３の物質領域
３８０：第４の物質領域
３９０：第５の物質領域
【図１】
2007520824.tif 000003
【図２】
2007520824.tif 000004
【図３】
2007520824.tif 000005
【図４】
2007520824.tif 000006
【図５】
2007520824.tif 000007
【図６】
2007520824.tif 000008
【図７】
2007520824.tif 000009
【図８】
2007520824.tif 000010
【図９】
2007520824.tif 000011
【図１０】
2007520824.tif 000012
【図１１】
2007520824.tif 000013
【手続補正書】
【提出日】平成18年10月3日(2006.10.3)
【手続補正１】
【補正対象書類名】特許請求の範囲
【補正対象項目名】請求項３
【補正方法】変更
【補正の内容】
【請求項３】
（ａ）指定されたテーパー角を有するマスクに対してマスクレイアウト対象物を定義する多角形の内部に、前記マスクレイアウト対象物を定義する多角形よりもサイズが小さいが前記マスクレイアウト対象物を定義する多角形と同じ形状および頂点順序を持つ内部多角形を生成し、同じ順序を有する頂点が互いに前記内部多角形から前記マスクレイアウト対象物を定義する多角形に連結されるように、前記内部多角形の頂点を前記マスクレイアウト対象物を定義する多角形の関連する頂点に連結することにより、前記内部多角形と前記マスクレイアウト対象物を定義する多角形との間の平面空間を分割する側面多角形を形成するステップ；
（ｂ）指定されたテーパー角を有するマスクを除く他のマスクに対して定義されているマスクレイアウト対象物を定義する多角形と、指定されたテーパー角を有するマスクに対して定義されている多角形との間の重なり合う領域において、多角形の各々の端部の両側に平行となるように、指定されたテーパー角を有するマスク以外の他のマスクに対して定義されているマスクレイアウト対象物を定義する多角形の各々の端部の両側に線を形成し、前記線によって前記指定された傾斜角を有するマスクに大して定義されている多角形を分割するステップ；
（ｃ）下部基板の上の物質層の積層順序の情報にしたがって、指定されたテーパー角を有さないマスクを用いた物質層、または指定されたマスクを有さない物質層を形成する場合には、既に定義された下部基板の上の物質層の上面から上方にユーザーが指定した厚さを持つように、指定されたテーパー角を有さないマスクを用いて物質層に物質を積層するステップ；
（ｄ）下部基板の上の物質層の積層順序の情報にしたがって、指定されたテーパー角を有するマスクを用いて物質層を形成する場合には、既に定義された下部基板の上の物質層の上面の上の、指定されたテーパー角を有するマスクを用いる物質層の下面としてのマスクレイアウト対象物、既に定義された下部基板の上の物質層の上面から上方に予め決定された厚さだけ間隔をあけた位置における、指定されたテーパー角を有するマスクを用いる物質層の上面としてのマスクレイアウト対象物の内部多角形、ならびに、指定されたテーパー角を有するマスクを用いる物質層の側面としてのマスクレイアウト対象物の側面多角形を、それぞれ定義して、前記下面の多角形と前記上面の多角形と前記側面の多角形とにより囲まれる領域中において指定されたテーパー角を有するマスクを用いて形成される物質層に新たな物質を積層するステップ；
（ｅ）上部基板の上の物質層の積層順序の情報にしたがって、指定されたテーパー角を有さないマスクを用いる物質層または指定されたマスクを用いることなく形成された物質層を形成する場合において、既に定義された上部基板の上の物質層の下面から下方に予め決定された厚さを持つように、指定されたテーパー角を有しないマスクを用いて形成された物質層または指定されたマスクを用いることなく形成された物質層に対して新たな物質を積層するステップ；
（ｆ）上部基板の上の物質層の積層順序の情報にしたがって、指定されたテーパー角を有するマスクを用いて物質層を形成する場合には、既に定義された上部基板の上の物質層の下面の上の、指定されたテーパー角を有するマスクを用いる物質層の上面としてのマスクレイアウト対象物、既に定義された上部基板の上の物質層の下面から下方に予め決定された厚さだけ間隔をあけた位置における、指定されたテーパー角を有するマスクを用いる物質層の下面としてのマスクレイアウト対象物の内部多角形、ならびに、指定されたテーパー角を有するマスクを用いる物質層の側面としてのマスクレイアウト対象物の側面多角形を、それぞれ定義して、前記上面の多角形と前記下面の多角形と前記側面の多角形とにより囲まれる領域中において指定されたテーパー角を有するマスクを用いて形成される物質層に新たな物質を積層するステップ；
（ｇ）上部基板の上の物質層の積層順序の情報にしたがって、指定されたテーパー角を有するマスクを用いる物質層を形成する場合において、既に定義された上部基板の上の物質層の下面において指定されたテーパー角を有するマスクを用いる物質層の上面としてマスクレイアウト対象物を用い、既に定義された上部基板の上の物質層の下面から下方に予め決定された厚さだけ間隔をあけた位置における、指定されたテーパー角を有するマスクを用いる物質層の下面としてマスクレイアウト対象物を用い、および、指定されたテーパー角を有するマスクを用いる物質層の側面としてマスクレイアウト対象物を用いる物質層に対して下方に他の新たな物質を積層するステップ；
（ｈ）前記定義された下部基板の上面を構成する多角形の頂点のうちの最低頂点の位置からユーザーが指定した液晶領域の厚さだけ間隔をあけた位置に、前記定義された下部基板の上面を構成する多角形の頂点のうちの最高頂点が位置するように、上部基板を上方に移動するステップ；ならびに
（ｉ）前記上部基板と下部基板との間の間隔に中間挿入層を充填するステップ、
を含む、請求項１に記載の方法。
【手続補正２】
【補正対象書類名】明細書
【補正対象項目名】００２０
【補正方法】変更
【補正の内容】
【００２０】
本発明の好適な態様によれば、各物質層の厚さは、ユーザーにより指定されてもよい。本発明の好適な態様によれば、上記の第２の物質層３６０は、第１の物質層３５０の上面からユーザーが指定した厚さだけ上方に第１のマスク３１０の構造を拡張することにより形成される。
【手続補正３】
【補正対象書類名】明細書
【補正対象項目名】００２２
【補正方法】変更
【補正の内容】
【００２２】
図７を参照すると、上記の第１の物質層３５０、第２の物質層３６０および第３の物質層３７０からなる下部基板の三次元構造に加えて、下部基板を構成する第４の物質層３８０が、下部基板の上面のうち最低の点から垂直方向にユーザーが指定した液晶物質の厚さだけ移動した位置に形成され、第５の物質層３９０が上部基板の下面と下部基板の上面との間に形成される。本発明の好適な態様によれば、下部基板と上部基板構造物との間の空間に充填される第５の物質層３９０は、液晶物質として定義される。
【手続補正４】
【補正対象書類名】明細書
【補正対象項目名】００２４
【補正方法】変更
【補正の内容】
【００２４】
図９は、上記のマスクレイアウト情報のための作成モジュール４１０の好適な態様の図である。図９を参照すると、作成モジュール４１０は、シミュレーション領域設定ボタン５０１、三次元構造を定義するボタン５０２、マスクレイアウト作成部５１０、およびマスク管理部５２０を含む。上記のマスク管理部５２０は、マスクレイアウトのための定義ファイル４４０に含まれるマスク一覧を表示してマスク一覧からマスク５２１を選択する機能を有し、上記のシミュレーション領域設定ボタン５０１は、マスク管理部５２０から選択されたマスク上のマスク対象物５１１を描画する機能を有する。上記のシミュレーション領域設定ボタン５０１は、上記のマスクレイアウト作成部５１０においてシミュレーション領域５３０を設定する機能を有する。上記のマスク管理部５２０は、液晶セルを構成する物質層の積層順序の情報のための入力モジュール４２０を実行する機能を有する。
【国際調査報告】
2007520824.tif 000014